(57)【要約】【課題】放電チャンネル間の輝度不均一の問題点を解消して、均一な輝度特性を示す面光源装置及びバックライトユニットを提供する。【解決手段】放電ガスを注入する内部空間が、複数個の放電チャンネル１１５、１２５、１３５、１４５、１５５に区画された光源体、及び前記放電チャンネル１１５、１２５、１３５、１４５、１５５が伸びている第１方向と交差する第２方向に沿って形成し、前記各放電チャンネル１１５、１２５、１３５、１４５、１５５に放電電圧を印加する電極１１９、１２９、１３９、４９、１５９を具備し、前記複数個の放電チャンネル１１５、１２５、１３５、１４５、１５５中の最外郭に配置される放電チャンネル１１５、１２５、１３５、１４５、１５５は、中央に配置される放電チャンネル１１５、１２５、１３５、１４５、１５５に比べて大きい体積を有することを特徴とする面光源装置１１０、１２０、１３０、１４０、１５０を提供する。【選択図】図６
2006332053.tif 000002
【特許請求の範囲】
【請求項１】
放電ガスを注入する内部空間が、複数個の放電チャンネルに区画された光源体、及び、前記放電チャンネルが伸びている第１方向と交差する第２方向に沿って形成し、前記各放電チャンネルに放電電圧を印加する電極を具備し、前記複数個の放電チャンネルの中で最外郭に配置する放電チャンネルは中央に配置する放電チャンネルに比べて大きい体積を有することを特徴とする面光源装置。
【請求項２】
前記電極が、前記最外郭に配置する放電チャンネルに対応する部位が前記中央に配置する放電チャンネルに対応する部位に比べて大きい放電面積を有するように形成されたことを特徴とする請求項１に記載の面光源装置。
【請求項３】
前記複数個の放電チャンネルが、中央から最外郭に行くほど連続的に体積が増加することを特徴とする請求項１に記載の面光源装置。
【請求項４】
前記電極が、前記最外郭に配置される放電チャンネルに対応する部位が前記中央に配置される放電チャンネルに対応する部位に比べて大きい放電面積を有するように形成され、前記各放電チャンネルに対応する部位が中央から最外郭に行くほど連続的に放電面積が増加することを特徴とする請求項３に記載の面光源装置。
【請求項５】
前記複数個の放電チャンネルが、中央から最外郭に行くほど段階的に体積が増加することを特徴とする請求項１に記載の面光源装置。
【請求項６】
前記電極は、前記最外郭に配置される放電チャンネルに対応する部位が前記中央に配置される放電チャンネルに対応する部位に比べて大きい放電面積を有するように形成され、前記各放電チャンネルに対応する部位が中央から最外郭に行くほど段階的に放電面積が増加することを特徴とする請求項５に記載の面光源装置。
【請求項７】
前記光源体は、中間領域である第１領域と両外郭領域である第２領域に分けられ、前記第１領域に配置される放電チャンネル同士の体積は等しく、前記第２領域に配置される放電チャンネル同士の体積は等しいが、前記第１領域に配置される放電チャンネルの体積に比べて大きい体積を有し、前記第１領域に配置される放電チャンネルの体積の合計は全体内部空間の体積の８０〜８５％で、前記第２領域に配置される放電チャンネルの体積の合計は全体内部空間の体積の１５〜２０％であることを特徴とする請求項５に記載の面光源装置。
【請求項８】
前記最外郭に配置される放電チャンネルが、前記中央に配置される放電チャンネルに比べて大きい断面積を有することを特徴とする請求項１に記載の面光源装置。
【請求項９】
前記最外郭に配置される放電チャンネルが、前記中央に配置される放電チャンネルに比べて広い幅を有することを特徴とする請求項８に記載の面光源装置。
【請求項１０】
前記最外郭に配置される放電チャンネルが、前記中央に配置される放電チャンネルに比べて高い高さを有することを特徴とする請求項９に記載の面光源装置。
【請求項１１】
前記光源体が、上部及び下部にそれぞれ配置する二枚の基板、及び、前記光源体の内部空間を前記複数個の放電チャンネルに区切る隔壁を含むことを特徴とする第１項ないし第１０項のいずれか一項に記載の面光源装置。
【請求項１２】
前記隔壁が、前記基板に一体に形成することを特徴とする請求項１１に記載の面光源装置。
【請求項１３】
前記光源体が、前記二枚の基板の間で縁に沿って形成して前記内部空間を形成する密封部材を含むことを特徴とする請求項１１に記載の面光源装置。
【請求項１４】
放電ガスを注入する内部空間が複数個の放電チャンネルに区画された光源体及び、前記放電チャンネルが伸びている第１方向と交差する第２方向に沿って形成し、前記各放電チャンネルに放電電圧を印加する電極を具備し、前記複数個の放電チャンネルの中で最外郭に配置される放電チャンネルは中央に配置される放電チャンネルに比べて大きい体積を有する面光源装置、前記面光源装置を収納する上部及び下部ケース、前記面光源装置と前記上部ケースの間に介在する光学シート、及び、前記面光源装置を駆動するための放電電圧を前記電極に印加するインバーターを含むことを特徴とするバックライトユニット。
【請求項１５】
前記最外郭に配置される放電チャンネルとそれに対応する前記光学シートの対応部位の間の距離が、前記中央に配置される放電チャンネルとそれに対応する前記光学シートの対応部位の間の距離に比べて小さいことを特徴とする請求項１４に記載のバックライトユニット。
【請求項１６】
前記最外郭に配置する放電チャンネルが、前記中央に配置する放電チャンネルに比べて高い高さを有することを特徴とする請求項１５に記載のバックライトユニット。
【発明の詳細な説明】
【技術分野】
【０００１】
本発明は、面光源装置及びそれを具備するバックライトユニットに関するものである。より詳細には、優れた輝度均一性を有する面光源装置及びそれを具備するバックライトユニットに関するものである。
【背景技術】
【０００２】
液晶表示装置は、液晶の電気的特性及び光学的特性を利用して映像をディスプレイする。液晶表示装置は、陰極線管（ｃａｔｈｏｄｅ  ｒａｙ  ｔｕｂｅ；ＣＲＴ）等に比べて体積が非常に小さくて軽いという長所を有している。そのため、ポータブルコンピュータ、通信機器、液晶テレビ（ｌｉｑｕｉｄ  ｃｒｙｓｔａｌ  ｔｅｌｅｖｉｓｉｏｎ  ｒｅｃｅｉｖｅｒ）及び宇宙航空産業などに広く使用されている。
【０００３】
液晶表示装置は、液晶を制御する液晶制御部及び液晶に光を供給する後面光源を含んでいる。液晶制御部は、第１基板に配置された画素電極（ｐｉｘｅｌ  ｅｌｅｃｔｒｏｄｅ）、第２基板に配置された共通電極（ｃｏｍｍｏｎ  ｅｌｅｃｔｒｏｄｅ）及び画素電極と共通電極の間に介在する液晶を含んでいる。画素電極は、解像度に対応する多数個からなり、共通電極は画素電極と対向する１個からなる。各画素電極にはお互いに異なるレベルを有する画素電圧（ｐｉｘｅｌ  ｖｏｌｔａｇｅ）を印加するために薄膜トランジスター（ｔｈｉｎ  ｆｉｌｍ  ｔｒａｎｓｉｓｔｏｒ；ＴＦＴ）が連結され、共通電極には等しいレベルのレファレンス電圧（ｒｅｆｅｒｅｎｃｅ  ｖｏｌｔａｇｅ）が印加される。画素電極及び共通電極は導電性を有する透明な物質からなっている。
【０００４】
後面光源から供給される光は、画素電極、液晶及び共通電極を順次通過する。ここで、液晶を通過した映像の表示品質は、後面光源の輝度及び輝度の均一性によって大きく左右される。一般的に輝度及び輝度の均一性が高いほど表示品質は良好になる。
【０００５】
従来の液晶表示装置の後面光源は、棒形状を有する冷陰極線管方式ランプ（ｃｏｌｄ  ｃａｔｈｏｄｅ  ｆｌｕｏｒｅｓｃｅｎｔ  ｌａｍｐ；ＣＣＦＬ）または、ドット形状を有する発光ダイオード（ｌｉｇｈｔ  ｅｍｉｔｔｉｎｇ  ｄｉｏｄｅ；ＬＥＤ）が主に使われた。冷陰極線管方式ランプは、輝度が高くて寿命が長く、白熱燈に比べて非常に発熱量が非常に小さいという長所がある。一方、発光ダイオードは消費電力が多いが輝度が高いという長所がある。しかし、冷陰極線管方式ランプまたは発光ダイオードは、輝度の均一性において劣っている。
【０００６】
したがって、冷陰極線管方式ランプまたは発光ダイオードを光源に有する後面光源は、輝度均一性を増加させるために導光板（ｌｉｇｈｔ  ｇｕｉｄｅ  ｐａｎｅｌ；ＬＧＰ）、拡散部材（ｄｉｆｆｕｓｉｏｎ  ｍｅｍｂｅｒ）及びプリズムシート（ｐｒｉｓｍ  ｓｈｅｅｔ）等の光学部材（ｏｐｔｉｃａｌ  ｍｅｍｂｅｒ）を必要とする。これにより冷陰極線管方式ランプまたは発光ダイオードを使用する液晶表示装置は、光学部材による体積及び重さが大きく増加する問題点を有している。
【０００７】
このような問題点を解消するために、平板形態の面光源装置が提示された。面光源装置は、隔壁分離型と隔壁一体型に分けることができる。
【０００８】
図１は、従来の隔壁一体型面光源装置１０の斜視図で、図２は図１の面光源装置１０の側断面図である。
【０００９】
図示したように、図１の面光源装置１０は光源体及び電極１９を具備する。光源体は、上部及び下部にそれぞれ配置する二枚の基板１１、１２を含む。下部に配置する基板１１は平坦型で提供する。上部に配置する基板１２には隔壁１３を一体に形成する。隔壁１３は、光源体の内部空間を複数個の放電チャンネル１５に区切る。上部に配置する基板１２は断面が連続した台形形状を有する。
【００１０】
電極１９は、光源体の両側に具備する。電極１９は、放電チャンネル１５に放電電圧を印加する。放電チャンネル１５の内面には、蛍光体を塗布する。放電ガスに電圧を印加するための二つの電極１９を隔壁１３が伸びている第１方向と直角に交差する第２方向に沿って二枚の基板１１、１２の両側外面にそれぞれ配置する。
【００１１】
電極１９は、テープ、スプレーまたはパウダー形態で提供できる。
【００１２】
放電ガスは、水銀と不活性気体を含むことができる。
【００１３】
未説明符号１４は、各放電チャンネルに放電ガスが注入できるよう、放電ガスが移動できるように形成した通路である。
【００１４】
図３は、従来のまた他の面光源装置２０の部分切開斜視図で、図４は図３の面光源装置２０の平面図である（図４で上部に配置する基板２２は、図示しなかった）。
【００１５】
図示したように、図３の面光源装置２０は隔壁分離型面光源装置で、光源体及び電極２９を具備する。
【００１６】
光源体は、上部及び下部にそれぞれ配置する二枚の基板２１、２２、隔壁２３、及び密封部材２６を具備する。
【００１７】
隔壁２３は、二枚の基板２１、２２の間で相互平行に配置する。隔壁２３は、光源体の内部空間を複数個の放電チャンネル２５に区切る。
【００１８】
密封部材２６は、二枚の基板２１、２２の間に縁に沿って配置して光源体の内部空間を外部と隔離させる。
【００１９】
内部空間には放電ガスが注入され、放電ガスに電圧を印加するための二つの電極２９を放電チャンネル２５が伸びている（ｅｘｔｅｎｄｉｎｇ）第１方向と交差する第２方向に沿って二枚の基板２１、２２の両側外面にそれぞれ配置される。
【００２０】
放電ガスが複数個の放電チャンネル２５に均一に注入されるように放電チャンネル２５はお互いに連通するように形成する。図３では、放電チャンネル２５が蛇行（ｓｅｒｐｅｎｔｉｎｅ）構造を有するように隔壁２３が交互に配置されている。
【００２１】
放電チャンネル２５の内面には蛍光体を塗布する。
【００２２】
前記図１ないし図４の従来の面光源装置１０、２０は、電極１９、２９に放電電圧を印加すれば、放電チャンネル１５、２５内部で放電が起きて紫外線が放出される。放出された紫外線は蛍光体を励起させて可視光を発生させ、光源装置としての機能を遂行する。
【００２３】
しかし、前記従来の面光源装置は、多数個の放電チャンネル１５、２５中、最外郭に配置された放電チャンネル１５、２５が中央に配置された放電チャンネル１５、２５に比べて輝度が低くて輝度均一性が良くない問題点があった。
【００２４】
従来の面光源装置では各放電チャンネル１５、２５が同一体積に区画されていて、各放電チャンネル１５、２５にはほとんど等しい量の放電ガスが存在するようになる。
【００２５】
ところが、面光源装置は外部に露出する面積が広くて、一般的なランプ（ＣＣＦＬ、ＥＥＦＬ、等）より周辺の影響をたくさん受けるようになる。したがって、最外郭に配置された放電チャンネル１５、２５は中央に配置された放電チャンネル１５、２５に比べて熱損失が多く発生する。結局、中央に配置される放電チャンネル１５、２５と最外郭に配置される放電チャンネル１５、２５の間に温度偏差が発生する。特に、放電ガスに使用される水銀は温度に非常に敏感な物性を持っていて、面光源装置を長期間点燈させておくと、温度偏差はさらに大きくなる。面光源装置の放電チャンネル１５、２５の間のこのような温度偏差は、輝度の不均一を招来する。
【００２６】
さらに中央に比べて相対的に温度が低い最外郭放電チャンネル１５、２５に冷点（ｃｏｌｄ  ｓｐｏｔ）が形成される場合もある。冷点は、水銀を継続的に吸着する性質を持っているので、冷点部分の外観色相が変化したり面光源装置の寿命を縮めることになる。
【００２７】
また、最外郭に配置された放電チャンネル１５、２５は、中央に配置された放電チャンネル１５、２５に比べて光重畳補償効果が少ない。また最外郭に配置される放電チャンネル１５、２５に対応する電極１９、２９の部位で電流漏洩が相対的に大きい。したがって、最外郭に配置された放電チャンネル１５、２５の輝度は中央に配置された放電チャンネル１５、２５より低い輝度値を示す。
【発明の開示】
【発明が解決しようとする課題】
【００２８】
本発明の目的は、放電チャンネル間の輝度不均一の問題点を解消して、均一な輝度特性を示す面光源装置及びバックライトユニットを提供することにある。
【課題を解決するための手段】
【００２９】
前記の目的を達成するために、本発明は、放電ガスが注入される内部空間が複数個の放電チャンネルに区画された光源体、及び前記放電チャンネルが伸びている第１方向と交差する第２方向に沿って形成されて前記各放電チャンネルに放電電圧を印加する電極を具備する。前記複数個の放電チャンネルの中で最外郭に配置される放電チャンネルは中央に配置される放電チャンネルに比べて大きい体積を有することを特徴とする面光源装置を提供する。
【００３０】
例えば、前記複数個の放電チャンネルは中央から最外郭に行くほど段階的または連続的に体積が増加する。
【００３１】
好ましくは、前記電極は、前記最外郭に配置される放電チャンネルに対応する部位が、前記中央に配置される放電チャンネルに対応する部位に比べて大きい放電面積を有するように形成する。
【００３２】
例えば、中央から最外郭に行くほど段階的または連続的に放電面積が増加する。
【００３３】
一実施例によると、前記光源体は中間領域である第１領域と両外郭領域である第２領域に分けられ、前記第１領域に配置する放電チャンネル同士の体積は等しくて、前記第２領域に配置する放電チャンネル同士の体積は等しいが、前記第１領域に配置する放電チャンネルの体積に比べて大きい体積を有し、前記第１領域に配置する放電チャンネルの体積の合計は、全体内部空間の体積の８０〜８５％で、前記第２領域に配置する放電チャンネルの体積の合計は全体内部空間の体積の１５〜２０％である。
【００３４】
好ましくは、前記最外郭に配置する放電チャンネルは、前記中央に配置する放電チャンネルに比べて大きい断面積を有する。
【００３５】
例えば、前記最外郭に配置する放電チャンネルは前記中央に配置する放電チャンネルに比べて広い幅及び／または高い高さを有する。
【００３６】
好ましくは、前記光源体は、上部及び下部にそれぞれ配置する二枚の基板、及び前記光源体の内部空間を前記複数個の放電チャンネルに区切る隔壁を含む。
【００３７】
隔壁一体型面光源装置では、前記隔壁は前記基板に一体に形成する。隔壁分離型面光源装置では前記光源体は、前記二枚の基板の間の縁に沿って形成して前記内部空間を形成する密封部材を含む。
【００３８】
また、本発明は、放電ガスが注入される内部空間が複数個の放電チャンネルに区画される光源体及び前記放電チャンネルが伸びている第１方向と交差する第２方向に沿って形成されて前記各放電チャンネルに放電電圧を印加する電極を具備するが、前記複数個の放電チャンネルの中で最外郭に配置する放電チャンネルは、中央に配置する放電チャンネルに比べて大きい体積を有する面光源装置、前記面光源装置を収納する上部及び下部ケース、前記面光源装置と前記上部ケースの間に介在する光学シート、及び前記面光源装置を駆動するための放電電圧を前記電極に印加するインバーターを含むことを特徴とするバックライトユニットを提供する。
【００３９】
好ましくは、前記最外郭に配置する放電チャンネルとそれに対応する前記光学シートの対応部位間の距離は、前記中央に配置する放電チャンネルとそれに対応する前記光学シートの対応部位間の距離に比べて小さい。
【００４０】
好ましくは、前記最外郭に配置する放電チャンネルは前記中央に配置する放電チャンネルに比べて高い高さを有する。
【発明の効果】
【００４１】
本発明によると、放電チャンネル間の輝度不均一の問題点を解消して、均一な輝度特性を示す面光源装置及びバックライトユニットを提供することができる。
【発明を実施するための最良の形態】
【００４２】
以下、添付図面を参照して本発明の好ましい実施例を詳しく説明する。
【実施例１】
【００４３】
＜面光源装置第１実施例＞
図５は、本発明の第１実施例による面光源装置１１０の斜視図で、図６は図５の面光源装置１１０の側断面図である。
【００４４】
図示したように、図５の面光源装置１１０は光源体及び電極１１９を具備する。
【００４５】
光源体は、放電ガスを注入する内部空間を複数個の放電チャンネル１１５に区画する。放電チャンネル１１５は、断面が台形形状を有するように形成する。
【００４６】
電極１１９は、放電チャンネル１１５が伸びている第１方向と交差する第２方向に沿って形成する。電極１１９は、各放電チャンネル１１５に放電電圧を印加する。
【００４７】
光源体は、下部及び上部にそれぞれ配置する二枚の基板１１１、１１２を含む。基板１１１、１１２は、一般的に可視光は透過させて、紫外線を遮断するガラス材質で構成する。
【００４８】
上部に配置する基板１１２には、隔壁１１３を一体に形成する。隔壁１１３は相互平行に配列する。したがって、放電チャンネル１１５もまた相互に並ぶように配列される。
【００４９】
放電ガスとしては、水銀ガス、アルゴンガス、ネオンガス、キセノンガス等が使用できる。
【００５０】
放電チャンネル１１５の中で最外郭に配置される放電チャンネル１１５は、中央に配置される放電チャンネル１１５を含む残りの放電チャンネル１１５に比べて大きい体積を有する。具体的には、最外郭に配置する放電チャンネル１１５の幅（ｗ２）と高さ（ｈ２）は残りの放電チャンネル１１５の幅（ｗ１）と高さ（ｈ１）より大きい。したがって、最外郭に配置する放電チャンネル１１５の断面積は、残りの放電チャンネル１１５の断面積より大きい。
【００５１】
このような構成により、最外郭に配置する放電チャンネル１１５には体積に比例してより多くの放電ガスを注入できる。よって、最外郭に配置される放電チャンネル１１５の輝度を高めることができ、全体的な輝度均一度を向上させられる。
【００５２】
また、前記電極１１９で、最外郭に配置される放電チャンネル１１５に対応する部位が残りの放電チャンネル１１５に対応する部位に比べて大きい放電面積を有する。実施例によっては、電極１１９の最外郭部位の第１方向長さも一緒に伸ばして、最外郭部位の放電面積をさらに増加させることもできる。
【００５３】
最外郭放電チャンネル１１５の拡張と共に対応する電極１１９の部位の拡張によって最外郭放電チャンネル１１５の輝度をさらに高めることができ、全体的な輝度均一度をさらに進めることができるようになる。
【００５４】
電極１１９には、導電性が優れた材質、例えば、銅、ニッケル、銀、金、アルミニウム、クロム等が使用でき、テープ、スプレーまたはパウダー形態で形成することができる。
【００５５】
最外郭に配置される二つの放電チャンネル１１５は、全体輝度均一性のために相互対称に構成することが好ましい。
【００５６】
未説明の図面符号１１４は、通路を示す。
【実施例２】
【００５７】
＜面光源装置第２実施例＞
図７は、本発明の第２実施例による面光源装置１２０の斜視図で、図８は図７の面光源装置１２０の側断面図である。
【００５８】
図示したように、図７の面光源装置１２０の放電チャンネル１２５は、中央から最外郭に行くほど連続的に体積が増加するように構成されている。（ｗ１＜ｗ２＜ｗ３＜ｗ４、ｈ１＜ｈ２＜ｈ３＜ｈ４）
【００５９】
したがって電極１２９もまた中央から外郭に行くほど連続的に放電面積が増加するように形成されている。
【００６０】
未説明の図面符号、１２１、１２２、１２３及び１２４はそれぞれ基板、基板、隔壁及び通路を示す。
【実施例３】
【００６１】
＜面光源装置第３実施例＞
図９は、本発明の第３実施例による面光源装置１３０の平面図である（図９ないし図１１で上部に配置される基板は図示しなかった）。
【００６２】
図示したように、図９の面光源装置１３０は図５ないし図８の隔壁一体型面光源装置１１０、１２０とは異なり隔壁分離型面光源装置である。
【００６３】
図９の面光源装置１３０は、光源体と電極１３９を具備する。光源体は二枚の基板（下部に配置される基板１３１及び上部に配置される基板）、隔壁１３３及び密封部材１３６を具備する。
【００６４】
二枚の基板は、上部及び下部で相互に対向して配置する。密封部材１３６は二枚の基板の間で縁に沿って形成して光源体の内部空間を形成する。
【００６５】
隔壁１３３は、蛇行構造で一直線に配列する。
【００６６】
複数個の放電チャンネル１３５は、中央から最外郭に行くほど段階的に体積が増加する。また、それに対応して電極１３９も中央から最外郭に行くほど段階的に放電面積が増加する。
【００６７】
具体的に詳しく見ると、図９の面光源装置１３０の光源体を中間に位置する第１領域と両外郭に位置する第２領域に分けて見る時、第２領域に配置される各放電チャンネル１３５の幅（ｗ２）は、第１領域に配置される各放電チャンネル１３５の幅（ｗ１）に比べて広い。
【００６８】
また、第１領域に配置される放電チャンネル１３５の体積の合計が全体内部空間の体積の８０〜８５％を占めるようにして、第２領域に配置される放電チャンネル１３５の体積の合計が全体内部空間の体積の１５〜２０％を占めるように構成することが好ましい。
【００６９】
そのために、ｗ２をｗ１より１５〜３０％程度大きく構成する。一例として、隔壁１３３が４２個なら、ｗ１は１０ｍｍで、ｗ２は１２ｍｍに構成する。
【実施例４】
【００７０】
＜面光源装置第４実施例＞
図１０は、本発明の第４実施例による面光源装置１４０の平面図である。
【００７１】
図示したように、図９とは異なり隔壁１４３が密封部材１４６と接する代わりに通孔１４４が隔壁１４３に形成されている。
【００７２】
図１０の面光源装置１４０も図９の面光源装置１３０と同じく、中央から最外郭に行くほど放電チャンネル１４５の体積及び対応する電極１４９の部位の放電面積が段階的に増加する。
【００７３】
未説明の図面符号１４１は、下面に配置する基板を示す。
【実施例５】
【００７４】
＜面光源装置第５実施例＞
図１１は、本発明の第５実施例による面光源装置１５０の平面図である。
【００７５】
図１１の面光源装置１５０は、図１０の面光源装置１４０とは異なり中央から最外郭に行くほど放電チャンネル１５５の幅及び対応する電極の部位の放電面積が連続的に増加するように構成されている（ｗ１＜ｗ２＜ｗ３＜ｗ４＜ｗ５＜ｗ６）。
【００７６】
未説明の図面符号、１５１、１５３、１５４及び１５６は下面に配置する基板、隔壁、通孔及び密封部材を示す。
【００７７】
＜バックライトユニット＞
図１２は、本発明の一実施例によるバックライトユニットを示した分解斜視図である。図１２を参照すると、本実施例によるバックライトユニット１０００は、図５に図示した面光源装置１１０、上下部ケース１１００、１２００、光学シート９００及びインバーター１３００を含む。
【００７８】
面光源装置としては、前述した実施例のいずれか一つの面光源装置を選択することができ、本実施例では第１実施例による面光源装置１１０を使用して説明する。
【００７９】
下部ケース１２００は、面光源装置１１０を収納するために底部１２１０及び底部１２１０の縁から収納空間を形成するために延長された複数の側壁部１２２０からなる。面光源装置１１０は、下部ケース１２００の収納空間に収納する。
【００８０】
インバーター１３００は、下部ケース１２００の背面に配置し、面光源装置１１０を駆動するための放電電圧を発生させる。インバーター１３００から発生された放電電圧は、第１及び第２電源線１３５２、１３５４を通じて面光源装置１１０の電極２７０にそれぞれ印加される。
【００８１】
光学シート９００は、面光源装置１１０から出射される光を均一に拡散させるための拡散板（未図示）と、拡散した光に直進性を付与するためのプリズムシート（未図示）からなることができる。
【００８２】
上部ケース１１００は、下部ケース１２００に結合して面光源装置１１０と光学シート９００を支持する。上部ケース１１００は、面光源装置１１０が下部ケース１２００から離脱することを防止する。
【００８３】
一方、映像を表示する液晶表示パネル（未図示）が上部ケース１１００の上部に配置され得る。
【００８４】
図１３は、図１２のバックライトユニットの側断面図である。
【００８５】
図示したように、光学シート９００は面光源装置１１０と所定の距離、離隔して配置した。好ましくは、光学シート９００は残りの放電チャンネルとの距離より最外郭に配置した放電チャンネルとの距離をさらに小さく配置する。したがって、最外郭での輝度が補強されて、全体的にバックライトユニットの輝度均一性が向上する。
【図面の簡単な説明】
【００８６】
【図１】従来の面光源装置の斜視図である。
【図２】図１の面光源装置の側断面図である。
【図３】従来のまた他の面光源装置の部分切開斜視図である。
【図４】図３の面光源装置の平面図である。
【図５】本発明の第１実施例による面光源装置の斜視図である。
【図６】図５の面光源装置の側断面図である。
【図７】本発明の第２実施例による面光源装置の斜視図である。
【図８】図７の面光源装置の側断面図である。
【図９】本発明の第３実施例による面光源装置の平面図である。
【図１０】本発明の第４実施例による面光源装置の平面図である。
【図１１】本発明の第５実施例による面光源装置の平面図である。
【図１２】本発明の一実施例によるバックライトユニットの分解斜視図である。
【図１３】図１２のバックライトユニットの側断面図である。
【符号の説明】
【００８７】
１０、２０、１１０、１２０、１３０、１４０、１５０：面光源装置
１１、１２、２１、２２、１１１、１１２、１２１、１２２、１３１、１４１、１５１：基板
１３、２３、１１３、１２３、１３３、１４３、１５３：隔壁
１５、２５、１１５、１２５、１３５、１４５、１５５：放電チャンネル
２６、１３６、１４６、１５６：密封部材
１９、２９、１１９、１２９、１３９、１４９、１５９：電極
９００：光学シート
１１００：上部ケース
１２００：下部ケース
１３００：インバーター
【図１】
2006332053.tif 000003
【図２】
2006332053.tif 000004
【図３】
2006332053.tif 000005
【図４】
2006332053.tif 000006
【図５】
2006332053.tif 000007
【図６】
2006332053.tif 000008
【図７】
2006332053.tif 000009
【図８】
2006332053.tif 000010
【図９】
2006332053.tif 000011
【図１０】
2006332053.tif 000012
【図１１】
2006332053.tif 000013
【図１２】
2006332053.tif 000014
【図１３】
2006332053.tif 000015